(57)【要約】【課題】視聴覚障碍者に対しても確実に災害を報知することが出来て、しかも、被災者が災害の発生を認識して避難行動を開始しているか否かを把握することが出来る報知システムの提供。【解決手段】本発明の報知システム（１０）は、災害情報（Ｓ１）を検出して災害発生信号（Ｓ２）を発信する機能を有する本体（１１）と、本体（１１）から災害発生信号（Ｓ２）を受信すると刺激性のある臭いを発生する臭い発生装置（１２、２２）と、ユーザー（例えば宿泊客）が携帯している機器（１４）に災害に関する情報を伝達する情報伝達機器と、ユーザーが携帯している機器（１４）からの情報信号を本体（１１）に対して伝達する装置を有する。【選択図】図１
2019061595.tif 000002
【特許請求の範囲】
【請求項１】
災害情報を検出して災害発生信号を発信する機能を有する本体と、本体から災害発生信号を受信すると刺激性のある臭いを発生する臭い発生装置と、
ユーザーが携帯している機器に災害に関する情報を伝達する情報伝達機器と、
ユーザーが携帯している機器からの情報信号を本体に対して伝達する装置を有することを特徴とする報知システム。
【請求項２】
前記臭い発生装置は、ワサビの水溶液が充満した上方領域と、ワサビ水溶液を気化する機能を有する気化装置を備えた下方領域に分割され、上方領域と下方領域は難水溶性材料で構成された膜状の隔壁で仕切られ、
上方領域には隔壁破断装置が設けられ、
下方領域の隔壁直下には液体を滴下する機能を有する滴下装置が配置され、滴下装置から液体が滴下される位置には当該液体を気化する気化装置が設けられ、
隔壁破断装置を駆動する駆動源と、前記本体からの災害発生信号を受信した場合に駆動源及び気化装置に電力を供給する回路が設けられている請求項１に記載の報知システム。
【請求項３】
前記臭い発生装置は、第１の容器と、その内部に収容された第２の容器を有し、
第１の容器の頂部は通気性の蓋体で覆われており、第２の容器には石灰が充填されており、第２の容器を収容する第１の容器には臭いを発生する物質の水溶液或いは水が充填されており、
第２の容器の頂部には隔壁が設けられ、隔壁は第１の容器に充填された水溶液或いは水に対して難溶性を有する材質で構成され、
隔壁の上方には隔壁破断装置が設けられ、隔壁破断装置の駆動源と、前記本体からの災害発生信号を受信した場合に駆動源に電力を供給する回路が設けられている請求項１に記載の報知システム。
【発明の詳細な説明】
【技術分野】
【０００１】
本発明は、火災、地震、その他の災害が発生した際に、その旨をユーザーに報知するシステムに関する。
【背景技術】
【０００２】
火災、地震、その他の災害が発生した際に、その旨を報知する技術は近年、広く普及している。
ここで、従来技術において、災害が発生したことを報知する警報は聴覚、視覚により認識するもの（例えば警報音、警報信号等）が大部分であり、視聴覚障碍者には認識できない場合が多い。
【０００３】
これに対して、火災が発生した際に注意を喚起する臭いを放散する技術が提案されている（例えば特許文献１参照）。この技術は大変に有用であり、近年、相当数の装置が普及している。
しかし、臭いが放散される領域は聴覚により警報音を認識できる領域、視覚により警報信号を認識できる領域に比較して狭い傾向があり、臭いが放散されない領域に視聴覚障碍者が居た場合には、臭いによる警報を感知することが出来ないという問題が存在する。
【０００４】
また、各種災害、特に地震等の大規模災害の場合には、宿泊施設の様に多数の人が存在する施設では、当該施設内に存在する人が災害の発生を認識して避難行動を開始しているか否か、換言すれば、怪我等により避難行動をとれなくなってしまった被災者が存在するか否かを把握することが重要である。
これに対して、従来技術では、被災者が災害を認識しているか否かを把握することを意図しておらず、怪我等により避難行動をとれなくなってしまった被災者が存在するか否かを判断することが出来なかった。
【先行技術文献】
【特許文献】
【０００５】
【特許文献１】特開２００４−３２６３２６号公報
【発明の概要】
【発明が解決しようとする課題】
【０００６】
本発明は上述した従来技術の問題点に鑑みて提案されたものであり、視聴覚障碍者に対しても確実に災害を報知することが出来て、しかも、被災者が災害の発生を認識して避難行動を開始しているか否かを把握することが出来る報知システムの提供を目的としている。
【課題を解決するための手段】
【０００７】
本発明の報知システム（１０）は、災害情報（Ｓ１）を検出して災害発生信号（Ｓ２）を発信する機能を有する本体（１１）と、本体（１１）から災害発生信号（Ｓ２）を受信すると刺激性のある臭い（例えば、就寝中であっても直ちに起床する程度の臭い：例えばワサビの臭い）を発生する臭い発生装置（１２、２２）と、
ユーザーが携帯している機器（１４：例えば、スマートフォンの様な情報処理端末、携帯電話等）に災害に関する情報（或いは信号）を伝達する情報伝達機器（１３：例えば無線ユニット１３Ａ、宿泊施設の従業者等１３Ｂ、無線処理ユニット１３Ｃ）と、
ユーザー（例えば宿泊客）が携帯している機器（１４：情報処理端末、携帯電話等）からの情報信号を本体（１１）に対して伝達する装置（１３：例えば無線ユニット１３Ａ）を有することを特徴としている。
【０００８】
本発明において、前記臭い発生装置（１２）は、ワサビの水溶液（ＷＳ）が充満した上方領域（１２Ａ）と、ワサビ水溶液（ＷＳ）を気化する機能を有する気化装置（１２Ｃ）を備えた下方領域（１２Ｂ）に分割され、上方領域（１２Ａ）と下方領域（１２Ｂ）は難水溶性材料で構成された膜状の隔壁（１２Ｄ：難水溶性フィルム）で仕切られ、
上方領域（１２Ａ）には隔壁破断装置（１２Ｅ：カッター）が設けられ、
下方領域（１２Ｂ）の隔壁（１２Ｄ）直下には液体（ワサビ水溶液ＷＳ）を滴下する機能を有する滴下装置（１２Ｆ：ドリッパー）が配置され、滴下装置（１２Ｆ）から液体が滴下される位置には当該液体（例えばワサビ水溶液ＷＳ）を気化する気化装置（１２Ｃ：例えばＳＡＷ素子、圧電素子、ペルチエ素子、ヒーター等）が設けられ、
隔壁破断装置（１２Ｅ）を駆動する駆動源（１２Ｇ：例えば電動モーター）と、前記本体（１１）からの災害発生信号（Ｓ２）を受信した場合に駆動源（１２Ｇ：例えば電動モーター）及び気化装置（１２Ｃ：例えばＳＡＷ素子、圧電素子、ペルチエ素子、ヒーター等）に電力を供給する回路（Ｃ１）が設けられているのが好ましい。
【０００９】
また前記臭い発生装置（２２）は、第１の容器（２２Ａ）と、その内部に収容された第２の容器（２２Ｂ）を有し、
第１の容器（２２Ａ）の頂部は通気性の蓋体（２２Ｃ）で覆われており、第２の容器（２２Ｂ）には石灰（Ｌ）が充填されており、第２の容器（２２Ｂ）を収容する第１の容器（２２Ａ）には臭いを発生する物質（例えばワサビ）の水溶液（ＷＳ）或いは水（ＷＷ）が充填されており、
第２の容器（２２Ｂ）の頂部には隔壁（２２Ｄ）が設けられ、隔壁（２２Ｄ）は第１の容器（２２Ａ）に充填された水溶液（ＷＳ）或いは水（ＷＷ）に対して難溶性を有する材質で構成され、
隔壁（２２Ｄ）の上方には隔壁破断装置（２２Ｅ：カッター）が設けられ、隔壁破断装置（２２Ｅ）の駆動源（例えば電動モーター）と、前記本体（１１）からの災害発生信号（Ｓ２）を受信した場合に駆動源（例えば電動モーター）に電力を供給する回路が設けられているのが好ましい。
【発明の効果】
【００１０】
上述の構成を具備する本発明の報知システム（１０）によれば、災害情報（Ｓ１）を検出した本体（１１）から災害が発生した旨の信号（Ｓ２）を受信した臭い発生装置（１２、２２）が、（ユーザーが）就寝中であっても直ちに起床する程度の刺激性のある臭い（例えば、ワサビの臭い）を発生するので、視聴覚障碍者に対しても確実に災害の発生を報知することが出来る。
【００１１】
ここで、臭い発生装置（１２、２２）の周辺環境に臭いを発生する物質（例えばワサビ）を放散しても、ユーザーが臭い発生装置（１２、２２）の周辺に居ない場合には、特にユーザーが視聴覚障碍者である場合には、災害の発生を認識できない可能性がある。
しかし、本発明によれば、ユーザーが携帯している機器（１４：例えば、スマートフォンの様な情報処理端末、携帯電話等）に災害に関する情報（或いは信号）を伝達する情報伝達機器（１３：例えば無線ユニット１３Ａ、宿泊施設の従業者等１３Ｂ、無線処理ユニット１３Ｃ）を備えているので、情報伝達機器（１３）を介してユーザーが携帯している機器（１４）に災害に関する情報（災害発生信号等）を送信し、ユーザーが携帯している機器（１４）の各種機能（音声発声機能、画面表示機能、振動発生機能等）を活用することにより、ユーザーが臭い発生装置（１２、２２）近傍に居ない場合や、ユーザーが視聴覚障碍者である場合にも、災害発生を確実に報知することが出来る。
【００１２】
また、例えば旅館やホテルその他の宿泊設備等では、宿泊客の安否を確認する必要があり、宿泊客が災害の発生を認識したか否かを確認しなければならない。
本発明によれば、ユーザー（例えば宿泊客）は携帯している機器（１４：例えば、スマートフォンの様な情報処理端末、携帯電話等）を介して宿泊施設の従業者等（１３Ｂ）に、災害信号を確認した旨（或いは避難行動を開始した旨）を連絡することが出来る。或いは、ユーザー（例えば宿泊客）は携帯している機器（１４：例えば、スマートフォンの様な情報処理端末、携帯電話等）を介して災害信号の確認（或いは避難行動を開始）の信号として送信することが出来る。
そして、宿泊施設の従業者等（１３Ｂ）から本体（１１）に対して信号を伝達する装置（１３：例えば無線ユニット１３Ａ）を有しているので、ユーザー（宿泊客）は災害信号を確認した旨（或いは、ユーザーが避難行動を開始した旨）の信号（確認信号）を本体（１１）に対して送信することが出来る。これにより、宿泊客が災害の発生を認識したか否かを確認することが出来る。
【図面の簡単な説明】
【００１３】
【図１】本発明の実施形態を示すブロック図である。
【図２】実施形態における臭い発生装置の一態様を示すブロック図である。
【図３】図２の臭い発生装置の他の態様を示すブロック図である。
【図４】図３の隔壁破断装置の別の例を示す説明図である。
【図５】実施形態における臭い発生装置の図２〜図４とは別の態様を示すブロック図である。
【発明を実施するための形態】
【００１４】
以下、添付図面を参照して、本発明の実施形態について説明する。
図１において、図示の実施形態に係る報知システムは全体を符号１０で示しており、本体１１と臭い発生装置１２（２２）を備えている。
本体１１は、家屋、施設等に配置されて、外部の災害警報手段１８からの災害情報Ｓ１（例えば災害警報器からの信号、停電センサーからの信号、地震センサーからの信号等）に基づいて、当該家屋、施設等の内部における適所に配置された臭い発生装置１２（２２）に対して、災害発生信号Ｓ２（臭いを発生する旨の信号）を伝達する機能を有している。
ここで、本体１１から発信される臭いを発生する旨の信号としては、例えば、通常の電気信号（警報信号）、電話における接点信号、その他のパルス信号等を採用することが出来る。
報知システム１０の詳細の説明に先立って、臭い発生装置１２、２２について説明する。
【００１５】
臭い発生装置１２、２２は、本体１１から災害発生信号Ｓ２（臭いを発生する旨の信号）を受信すると、ユーザーが就寝中であっても直ちに起床する程度の刺激性のある臭いを発生する機能を有している。当該刺激性のある臭いとしては、例えば、ワサビの臭いを用いることが出来る。
臭い発生装置１２、２２の詳細を、図２〜図５を参照して説明する。
図２において、臭い発生装置１２は、ワサビの水溶液ＷＳが充満した上方領域１２Ａと、ワサビ水溶液ＷＳを気化する機能を有する気化装置１２Ｃを備えた下方領域１２Ｂに分割されている。そして、上方領域１２Ａと下方領域１２Ｂは、難水溶性材料で構成された膜状の隔壁１２Ｄ（難水溶性フィルム）で仕切られている。
ただし、上方領域１２Ａに充填される液体の臭い成分はワサビに限定されるものではなく、水溶液が気化した際に、警報として必要な刺激性のある臭いが拡散する成分であれば、ワサビ以外の臭い成分を適用可能である。
【００１６】
上方領域１２Ａには、隔壁破断装置１２Ｅ（カッター）が設けられ、隔壁破断装置１２Ｅの上方にはラック１２ＥＡが形成されている。そしてラック１２ＥＡはピニオン１２ＥＢと螺合している。
上方領域１２Ａに固定されたモーター１２Ｇ（例えば電動モーター）はピニオン１２ＥＢと接続されており、ピニオン１２ＥＢを回転駆動する。モーターＧが駆動すると、ピニオン１２ＥＢは矢印ＣＣＷ方向に回動し、ピニオン１２ＥＢと螺合するラック１２ＥＡ及び隔壁破断装置１２Ｅは隔壁１２Ｄに向かって下降する。
【００１７】
臭い発生装置１２の下方領域１２Ｂにおいて、隔壁１２Ｄの直下には滴下装置１２Ｆ（ドリッパー）が配置されており、滴下装置１２Ｆは全体が漏斗状に構成され、下端から液体（ワサビ水溶液ＷＳ）を滴下する機能を有している。
滴下装置１２Ｆの下方であって、滴下装置１２Ｆから液体が滴下される位置には、滴下した液体（図２ではワサビ水溶液ＷＳ）を気化する気化装置１２Ｃが配置される。
気化装置１２Ｃとしては、例えばＳＡＷ素子、圧電素子、ペルチエ素子、ヒーター等が適用可能である。ここで、ＳＡＷ（Ｓｕｒｆａｃｃｅ  Ａｃｏｕｓｔｉｃ  Ｗａｖｅ、表面弾性波）素子は、気化装置１２Ｃ上に滴下したワサビ水溶液ＷＳに弾性表面波を伝搬することによって、水溶液中に縦波を生じさせ、水溶液を霧化する機能を奏する。
図２において、符号１２ＣＡは、気化装置として圧電素子を適用した場合に用いられるＤ／Ａ（直流／交流）変換器を示す。
【００１８】
下方領域１２Ｂの側壁には、前週に亘って多数形成された臭い拡散孔１２Ｈ（その一部のみを図示する）が穿孔されており、臭い拡散孔１２Ｈを介して、下方領域１２Ｂ内でワサビ水溶液ＷＳから気化したワサビの粒子（気体）が臭い発生装置１２の周囲空間に徐放（或いは拡散）される。
臭い発生装置１２の上方領域１２Ａに設けられたモーター１２Ｇは、回路Ｃ１に介装されている。回路Ｃ１には、モーター１２Ｇに加えて、気化装置１２Ｃ、バッテリー１２Ｉ（例えば乾電池）、常開スイッチ１２Ｊが介装されている。明確には図示されないが、臭い発生装置１２が本体１１から災害発生信号Ｓ２を受信した場合には常開スイッチ１２Ｊが閉じ、回路Ｃ１によりモーター１２Ｇ及び気化装置１２Ｃにバッテリー１２Ｉから電力を供給する。図２では、モーター１２Ｇの駆動源と気化装置１２Ｃの駆動源は共通であるが、別個の回路と電源により駆動することも可能である。
【００１９】
常開スイッチ１２Ｊは本体１１からの災害発生信号Ｓ２を受信したときに閉じる機能を有するが、公知、市販のものを適用できる。
なお、図２では、回路Ｃ１は隔壁破断装置１２Ｅと気化装置１２Ｃを直列に配置しているが、隔壁破断装置１２Ｅと気化装置１２Ｃを並列に配置した回路構成としても良い。
【００２０】
図１で示す報知システム１０の本体１１が外部の災害警報手段１８から災害情報Ｓ１（例えば災害警報器からの信号、停電センサーからの信号、地震センサーからの信号等）を検出すると、本体１１は臭い発生装置１２に災害発生信号Ｓ２を出力する。
本体１１からの災害発生信号Ｓ２を受信した臭い発生装置１２（図２）は、回路Ｃ１の常開スイッチ１２Ｊを閉じて通電し、回路Ｃ１によりモーター１２Ｇと気化装置１２Ｃにバッテリー１２Ｉから電力を供給する。モーター１２Ｇが駆動することによりピニオン１２ＥＢが矢印ＣＣＷ方向に回動し、隔壁破断装置１２Ｅが下降して、隔壁１２Ｄが破断される。
【００２１】
膜状の隔壁１２Ｄ（難水溶性フィルム）が破断すると、上方領域１２Ａに収容されたワサビ水溶液ＷＳが隔壁１２Ｄの破断箇所から滴下装置１２Ｆ内に流入し、ワサビ水溶液ＷＳが気化装置１２Ｃに滴下する。
気化装置１２Ｃ（例えばＳＡＷ素子、圧電素子、ペルチエ素子、ヒーター等）に滴下したワサビ水溶液ＷＳは気化し、当該気化したワサビ水溶液ＷＳ中のワサビの粒子は下方領域１２Ｂの側壁に多数形成された臭い拡散孔１２Ｈから徐放されて、臭い発生装置１２の周囲の空気中に放散する。
臭い発生装置１２周囲のるユーザーは、ワサビの臭気により、例えば就寝中であっても、或いは当該ユーザーが視聴覚障碍者であっても、災害発生を認識することが出来る。
【００２２】
図２の臭い発生装置１２では、隔壁破断装置１２Ｅはラック・ピニオン機構（ラック１２ＥＡ、ピニオン１２ＥＢ）を介してモーター１２Ｇにより駆動される。
これに対して図３で示す様に、鉤状の切削部位１２Ｅ１Ａを有する回転機構により隔壁破断装置１２Ｅ１を構成することが可能である。
図３では、隔壁破断装置１２Ｅ１の部分のみを示しているが、臭い発生装置１２における他の部分の構成は図２と同様である。
【００２３】
図３の隔壁破断装置１２Ｅ１において、図示しないモーターを含む回転機構により鉤状の切削部位１２Ｅ１Ａは回動可能に構成されている。隔壁破断装置１２Ｅ１は、上方領域１２Ａ（図２参照）における隔壁１２Ｄ近傍箇所に配置され、回動軸１２Ｅ１Ｂが回動していない状態では、例えば鉤状の切削部位１２Ｅ１Ａを上方領域１２Ａ側に固定した状態で配置されている。
臭い発生装置１２（図２）が災害発生信号Ｓ２（図１）を受信すると、モーターを駆動する回路（図２の回路Ｃ１に相当）が通電し、駆動源（例えば電動モーター：図３では図示せず）が駆動する。これにより回動軸１２Ｅ１Ｂが矢印ＣＣＷ方向に回動し、鉤状の切削部位１２Ｅ１Ａの刃先により隔壁１２Ｄは破断する。
隔壁１２Ｄが破断すると、当該破断箇所からワサビ水溶液が隔壁直下の滴下装置に流入し、気化装置に滴下し、気化装置で気化したワサビの粒子（気体）が臭い発生装置１２の周囲の空気中に徐放、拡散される。
図３の隔壁破断装置１２Ｅ１を備えた臭い発生装置におけるその他の構成及び作用効果は、図２で示す臭い発生装置１２と同様である。
【００２４】
また、図４で示す様に、複数の鉤状の切削部位１２Ｅ２Ａ有し、全体が概略星形の隔壁破断装置１２Ｅ２を備えても良い。
図４の隔壁破断装置１２Ｅ２は、複数の鉤状の切削部位１２Ｅ２Ａの中心に回動軸１２Ｅ２Ｂを有している。臭い発生装置１２が災害発生信号Ｓ２（図１）を受信すると、図示しない駆動源（例えば電動モーター）を駆動して回動軸１２Ｅ２Ｂを矢印ＣＣＷ方向に回動する。係る回動により、切削部位１２Ｅ２Ａの刃先が隔壁１２Ｄを破断する。
図４の隔壁破断装置１２Ｅ２を備えた臭い発生装置におけるその他の構成及び作用効果は、図２で示す臭い発生装置１２と同様である。
【００２５】
図５では、図２〜図４で示すものとは別の態様の臭い発生装置２２が示されている。
図５で示す臭い発生装置２２は、第１の容器２２Ａと、その内部に収容された第２の容器２２Ｂを有し、第１の容器２２Ａの頂部は通気性の蓋体２２Ｃで覆われている。
第２の容器２２Ｂには石灰Ｌが充填されており、第２の容器２２Ｂを収容する第１の容器２２Ａには臭いを発生する物質としてワサビの水溶液ＷＳが充填されている。ここで、第２の容器２２Ｂに石灰Ｌと臭いを発生する物質（ワサビ粉末Ｗ）を充填し、第１の容器２２Ａに水ＷＷを充填しても良い。
第２の容器２２Ｂの頂部には隔壁２２Ｄが設けられ、隔壁２２Ｄは第１の容器２２Ａに充填されたワサビ水溶液ＷＳに対して難溶性を有する材質で構成される。
【００２６】
第１の容器２２Ａの内部において、隔壁２２Ｄ近傍位置には隔壁破断装置２２Ｅ（カッター）が設けられている。
図５において、隔壁破断装置２２Ｅは図４で説明したのと同様に構成されているが、図２、図３で示す隔壁破断装置を用いることも可能である。
隔壁破断装置２２Ｅは図示しない駆動源（例えば電動モーター）と接続され、駆動源により切削部位が回動軸を中心に矢印ＣＣＷ方向に回動すると、切削部位が隔壁２２Ｄを破断する。
【００２７】
図５において、報知システム１０（図１）の本体１１からの災害発生信号Ｓ２を受信した臭い発生装置２２は、隔壁破断装置２２Ｅの切削部位が回動軸を中心に矢印ＣＣＷ方向に回動して、隔壁２２Ｄを破断する。
隔壁２２Ｄが破断すると、当該破断箇所から、第１の容器２２Ａ内の臭いを発生する物質（ワサビ）の水溶液ＷＳが、第２の容器２２Ｂ内に侵入する。その際に、第２の容器２２Ｂに充填された石灰Ｌと第１の容器２２Ａから侵入した水溶液ＷＳの水が化学反応を起こし、多量の水蒸気が発生する。当該水蒸気により、水溶液ＷＳの臭いを発生する物質（ワサビ）の粒子が連行され、第１の容器２２Ａの通気性の蓋体２２Ｃを経由して、臭い発生装置２２周囲に放散される。
【００２８】
図２〜図５で示す臭い発生装置１２、２２によれば、臭い発生装置１２、２２の周囲に居るユーザーは、徐放或いは拡散された臭いを発生する物質（ワサビ）の臭気により、就寝中であっても、或いはユーザーが視聴覚障碍者であっても、災害発生を認識することが出来る。
また、臭いを発生する物質として、強力な臭いを発するものの、人体無害で、発熱、その他の危険因子を含まない物質、例えばワサビ、を使用しているので安全である。そして、臭いを発生する物質（ワサビ）の徐放或いは拡散は、簡単な電気回路により隔壁を破損することにより、容易に実現することが出来る。
【００２９】
ここで、図２〜図５の臭い発生装置１２、２２により周辺環境に臭いを発生する物質（例えばワサビ）を放散しても、ユーザーが臭い発生装置１２、２２の周辺に居ない場合には、特にユーザーが視聴覚障碍者である場合には、災害の発生を認識できない可能性がある。
そのため、図１で示す実施形態の報知システム１０は、図２〜図５で説明した本体１１と臭い発生装置１２、２２に加えて、災害の発生を確実に伝達し、且つ、災害の発生を認識した旨の確認信号を確実に伝達する様に構成されている。
図１において全体を符号１０で示す報知システムは、本体１１からの災害発生信号に基づき、ユーザー（例えばホテルの宿泊客）が携帯している機器１４（例えば、スマートフォンの様な情報処理端末、携帯電話等）に災害に関する情報（或いは信号）を伝達する情報伝達機器１３（具体的には無線ユニット１３Ａ、宿泊施設の従業者等１３Ｂ、無線処理ユニット１３Ｃ（例えばＢｌｕｅｔｏｏｔｈ  ｄｉｇｉａｔｌ  インターフェース：Ｂｌｕｅｔｏｏｔｈは登録商標）、ユーザー（例えば宿泊客）が携帯している機器１４（例えば、スマートフォンの様な情報処理端末、携帯電話等）からの情報信号を本体１１に対して伝達する装置１３（前出の情報伝達機器である無線ユニット１３Ａ、宿泊施設の従業者等１３Ｂ、処理ユニット１３Ｃを兼用する）、本体１１からの災害発生に関する接点信号を受信しユーザーに災害発生を認識させる電話ユニット１５（例えばホテルのユーザーの部屋に配置される）を有している。
無線処理ユニット１３Ｃとしては、既存のインターフェース（例えばＢｌｕｅｔｏｏｔｈ  ｄｉｇｉａｔｌ  インターフェース：Ｂｌｕｅｔｏｏｔｈは登録商標）が用いられる。既存の無線ユニット１３Ａに加えて、インターフェース１３Ｃ（無線処理ユニット：例えばＢｌｕｅｔｏｏｔｈ  ｄｉｇｉｔａｌ  インターフェース：Ｂｌｕｅｔｏｏｔｈは登録商標）を有することにより、ユーザーが所持している機器１４がどの様なものであっても、情報の授受を確実に行うことが出来る。
【００３０】
報知システム１０は、本体１１からの災害発生信号に基づき、ユーザーに災害信号を伝達する各種警報機器１７を有しており、具体的な警報機器としては、フラッシュランプ、停電ランプ、地震ランプ、振動機器等がある。
さらに、報知システム１０は、ユーザーの身体に装着する前記スマートフォン１４と連動するセンサー機器１６（例えばスマートウォッチ）を有している場合に、センサー機器１６に対しても情報の授受を行う。
情報伝達機器１３である「宿泊施設の従業者等１３Ｂ」は、ユーザーが宿泊施設に滞在中に災害に遭遇した場合には宿泊施設の従業者等が想定される。或いは、親族、知人、第三者機関も、「宿泊施設の従業者等１３Ｂ」に包含される。
図示の実施形態では、情報伝達機器１３は、本体１１からの災害情報をユーザーのスマートフォン１４に送信する情報伝達機器としての機能を奏すると共に、ユーザーのスマートフォン１４からの情報信号を本体１１に対して伝達する情報伝達機器としての機能も奏する。換言すれば、本体１１からの災害情報をユーザーのスマートフォン１４に送信する情報伝達機器と、ユーザーのスマートフォン１４からの情報信号を本体１１に対して伝達する情報伝達機器が兼用されている。しかし、本体１１からの災害情報をユーザーのスマートフォン１４に送信する情報伝達機器と、ユーザーのスマートフォン１４からの情報信号を本体１１に対して伝達する情報伝達機器を、別個に設けることも可能である。
【００３１】
図１の報知システム１０において、本体１１は、外部の災害警報手段１８からの災害情報Ｓ１に基づいて臭い発生装置１２（２２）に対して災害発生信号Ｓ２（臭いを発生する旨の信号）を送信する機能に加えて、災害情報Ｓ１に基づいて各種警報機器１７に災害発生信号Ｓ３を送信する機能、災害情報Ｓ１に基づいて情報伝達機器１３（無線ユニット１３Ａ、無線処理ユニット１３Ｃ）に災害発生信号Ｓ４、Ｓ５を送信する機能、災害情報Ｓ１に基づいて電話ユニット１５に接点信号Ｓ６を送信する機能を有している。
【００３２】
無線ユニット１３Ａは、本体１１からの災害発生信号Ｓ４を受信し、災害発生に相当する接点信号Ｓ７を宿泊施設の従業者等１３Ｂに伝達する機能、各種警報機器１７に災害発生信号Ｓ１８を伝達する機能を有する。
また無線ユニット１３Ａは、宿泊施設の従業者等１３Ｂから発信された接点信号Ｓ８を受信し、接点信号Ｓ８に相当する情報を本体１１に接点信号Ｓ９として伝達する機能を有する。ここで接点信号Ｓ８は、ユーザー（宿泊客）が災害発生を確認した旨の情報に相当し、或いは、ユーザーが避難行動を開始した旨の情報に相当する。
【００３３】
従業者等１３Ｂは、無線ユニット１３Ａから災害発生に相当する接点信号Ｓ７を受信し、ユーザーのスマートフォン１４に災害発生信号（情報）Ｓ１０として伝達する機能を有する。この場合、従業者等１３Ｂからユーザーのスマートフォン１４に電話をして確認することも包含される。
また、従業者等１３Ｂは、ユーザーのスマートフォン１４からのユーザーの確認信号（確認情報）Ｓ１１を受信し、当該情報を無線ユニット１３Ａに接点信号Ｓ８として伝達する機能を有する。ここで、ユーザーの確認信号（確認情報）Ｓ１１は、ユーザーが災害発生を確認した旨の信号（情報）であり、或いは、ユーザーが避難行動を開始した旨の信号（情報）である。この場合、ユーザーのスマートフォン１４から従業者等１３Ｂに電話をする場合を含む。
さらに、従業者等１３Ｂ（例えばフロント）は、災害発生に相当する接点信号Ｓ７を無線ユニット１３Ａから受信し、ユーザーの客室に配置されている電話ユニット１５に対して災害発生に相当する接点信号Ｓ１２を伝達する機能を有している。それと共に、電話ユニット１５から発信され、ユーザーが災害発生を確認した旨に相当し或いはユーザーが避難行動を開始した旨に相当する接点信号Ｓ１３を、受信する機能を有している。さらに、ユーザーが災害発生を確認した旨の情報或いは当該ユーザーが避難行動を開始した旨の情報を、無線ユニット１３Ａに対して、接点信号Ｓ８として伝達する機能を有する。
【００３４】
ユーザーの客室に配置された電話ユニット１５は、信号Ｓ１２、Ｓ１３に関する機能に加えて、本体１１からの災害発生に相当する接点信号Ｓ６を受信する機能を有すると共に、ユーザーが災害発生を確認した旨に相当し或いはユーザーが避難行動を開始した旨に相当する接点信号Ｓ１４を、本体１１に送信する機能を有する。
無線処理ユニット１３Ｃは、本体１１からの災害発生信号Ｓ５を受信し、ユーザー（宿泊客）のスマートフォン１４に災害発生信号Ｓ１５を伝達する機能を有する。
また無線処理ユニット１３Ｃは、ユーザーのスマートフォン１４から発信された確認信号Ｓ１６を受信し、確認信号Ｓ１６に対応する情報を本体１１に接点信号Ｓ１７として伝達する機能を有する。ここで確認信号Ｓ１６は、ユーザーが災害発生を確認した旨の確認信号であり、或いはユーザーが避難行動を開始した旨の確認信号である。
【００３５】
ユーザーの身体にスマートフォン連動のセンサー機器１６（例えばスマートウォッチ）を装着していれば、災害発生信号を受信したスマートフォン１４から、ユーザーの身体に装着したセンサー機器１６に災害発生信号Ｓ１９を送信する。
そして、災害発生信号Ｓ１９を受信したセンサー機器１６は振動機能（或いは警報音、光、熱等）を有しているため、ユーザーは確実に災害発生を認識することが出来る。
【００３６】
図１の様に構成された報知システム１０において、災害発生をユーザーに対して報知する態様を以下に説明する。
災害発生時、外部の災害警報手段１８からの災害情報Ｓ１（例えば災害警報器からの信号、停電センサーからの信号、地震センサーからの信号等）に基づいて、本体１１は、臭い発生装置１２、２２に対して災害発生信号Ｓ２（臭いを発生する旨の信号）を送信し、各種警報機器１７に対して災害発生信号Ｓ３を送信し、無線ユニット１３Ａに対して災害発生信号Ｓ４を送信し、無線処理ユニット１３Ｃに対して災害発生信号Ｓ５を送信し、電話ユニット１５（ユーザーの客室に配置される）に対して災害発生の接点信号Ｓ６を送信する。
【００３７】
本体１１から送信された災害発生信号Ｓ２を受信した臭い発生装置１２、２２は、図２〜図５を参照して説明した様に、周辺環境に臭いを発生する物質（例えばワサビ）を徐放或いは放散して、臭い発生装置１２、２２近傍に居るユーザーに災害発生を報知する。
本体１１から送信された災害発生信号Ｓ３を受信した各種警報機器１７は、フラッシュランプ、停電ランプ、地震ランプ、振動機器等を稼働させ、周辺のユーザーに災害発生を報知する。
【００３８】
また、本体１１から送信された災害発生信号Ｓ４を受信した無線ユニット１３Ａは、宿泊施設の従業者等１３Ｂに災害発生に相当する接点信号Ｓ７を伝達し、宿泊施設の従業者等１３Ｂは、ユーザーのスマートフォン１４に災害発生信号（情報）Ｓ１０として伝達する。
さらに、災害発生信号（情報）Ｓ１０は信号Ｓ１９としてスマートフォン連動のセンサー機器１６にも伝達され、振動等の報知機能により災害発生は確実にユーザーに報知される。
さらに、本体１１からの災害発生信号Ｓ４を受信した無線ユニット１３Ａは、災害発生信号Ｓ１８を各種警報機器１７に伝達する。本体１１からの報知と併せて、各種警報機器１７への報知を確実なものにするためである。
【００３９】
本体１１からの災害発生信号Ｓ４は、無線ユニット１３Ａ、従業員等１３Ｂを介してユーザーのスマートフォン１４に伝達されるのに加えて、無線ユニット１３Ａ、従業員等１３Ｂを介して電話ユニット１５（ユーザーの客室に配置される）に対して災害発生に相当する接点信号Ｓ１２として伝達され、客室のユーザーが確実に災害発生を認識する様にせしめている。
また、本体１１から送信された災害発生信号Ｓ５を受信した無線処理ユニット１３Ｃは、ユーザーのスマートフォン１４に災害発生信号Ｓ１５として伝達する。さらに、災害発生信号Ｓ１５は信号Ｓ１９としてスマートフォン連動のセンサー機器１６（例えばスマートウォッチ）にも伝達される。
加えて、本体１１から送信された災害発生信号Ｓ６は電話ユニット１５（ユーザーの客室に配置される）に受信され、客室に存在するユーザーが災害発生を認識させることが出来る。
【００４０】
図示の実施形態に係る報知システム１０によれば、災害発生を、臭い発生装置１２，２２からの臭気、各種警報機器１７からの警報に加えて、無線ユニット１３Ａ、宿泊施設の従業者等１３Ｂ、無線処理ユニット１３Ｃ、電話ユニット１５を活用した複数の報知手段により、ユーザーに伝達するので、災害発生をより確実にユーザーに伝達することが出来る。
【００４１】
次に、報知システム１０において、ユーザー（宿泊客）が災害発生を認識した旨を確認する態様について説明する。
ユーザー災害発生を認識した場合には、確認信号Ｓ１１（情報）を従業者等１３Ｂ（例えばフロント）に送信する。ここで、確認信号（確認情報）Ｓ１１は、ユーザーが災害発生を確認した旨の確認信号（確認情報）であり、或いは、ユーザーが避難行動を開始した旨の確認信号（確認情報）である。ここで、ユーザーのスマートフォン１４から従業者等１３Ｂに確認の電話をすることを含む。
確認信号（確認情報）Ｓ１１は、従業者等１３Ｂから無線ユニット１３Ａに接点信号Ｓ８として伝達され、さらに無線ユニット１３Ａから本体１１に接点信号Ｓ９として伝達される。
【００４２】
またユーザーは、災害発生を認識した場合、ユーザーが災害発生を確認した旨（或いはユーザーが避難行動を開始した旨）の確認信号Ｓ１６を無線処理ユニット１３Ｃに送信する。
確認信号Ｓ１６は、無線処理ユニット１３Ｃから本体１１に接点信号Ｓ１７として伝達される。
【００４３】
さらにユーザーは、災害発生を認識した場合、電話ユニット１５により本体１１に災害発生を確認した旨（或いは避難行動を開始した旨）に相当する接点信号Ｓ１４を送信することが出来る。
或いはユーザーは、災害発生を認識した場合、電話ユニット１５により従業員等１３Ｂに災害発生を確認した旨（或いは避難行動を開始した旨）に相当する接点信号Ｓ１３を送信する。そして従業員等１３Ｂは、無線ユニット１３Ａに対して、ユーザーが災害発生を確認した旨（或いは避難行動を開始した旨）に相当する接点信号Ｓ８を伝達し、無線ユニット１３Ａは本体１１に対してユーザーが災害発生を確認した旨（或いは避難行動を開始した旨）に相当する接点信号Ｓ９を伝達する
【００４４】
ユーザーが身体にスマートフォン連動のセンサー機器１６（例えば９軸センサーや脈拍計等）を装着していれば、センサー機器１６の出力信号をユーザーのスマートフォン１４に出力し（信号Ｓ２０）、さらにスマートフォン１４から宿泊施設の従業員等１３Ｂ或いは無線処理ユニット１３Ｃに出力することが出来る（確認信号Ｓ１１、Ｓ１６）。
これにより、ユーザーの状態（例えばユーザーの現在位置、ユーザーが転倒した状態である旨、体力が低下し脈拍が弱っている状態等）を把握することが出来て、適切な救出活動に繋げることが出来る。
【００４５】
図示の実施形態に係る報知システム１０によれば、ユーザーが災害発生を認識した場合に、ユーザーが災害信号を確認した旨、或いはユーザーが避難行動を開始した旨が、複数の経路（態様）で本体１に信号（情報）として伝達される。そのため本体１１により、ユーザーが災害の発生を認識したか否か（ユーザーが避難行動を開始したか否か）を確認することが出来る。
さらに、ユーザーが身体にスマートフォン連動のセンサー機器１６（例えば９軸センサーや脈拍計等）を装着していれば、ユーザーの状態（例えばユーザーの現在位置、ユーザーが転倒した状態である旨、体力が低下し脈拍が弱っている状態等）を把握することが出来、適切な救出活動に繋げることが出来る。
【００４６】
図示の実施形態はあくまでも例示であり、本発明の技術的範囲を限定する趣旨の記述ではないことを付記する。
【符号の説明】
【００４７】
１０・・・報知システム
１１・・・本体
１２・・・臭い発生装置
１２Ａ・・・上方領域
１２Ｂ・・・下方領域
１２Ｃ・・・気化装置
１２ＣＡ・・・Ｄ／Ａ（直流／交流）変換器
１２Ｄ・・・隔壁難水溶性フィルム
１２Ｅ、１２Ｅ１、１２Ｅ２・・・隔壁破断装置
１２ＥＡ・・・ラック
１２ＥＢ・・・ピニオン
１２Ｆ・・・滴下装置
１２Ｇ・・・モーター
１２Ｈ・・・臭い拡散孔
１２Ｉ・・・バッテリー
１２Ｊ・・・常開スイッチ
１３・・・情報伝達機器
１３Ａ・・・無線ユニット
１３Ｂ・・・宿泊施設の従業者等
１３Ｃ・・・無線処理ユニット
１４・・・ユーザーが携帯している機器
１５・・・電話ユニット
１６・・・センサー機器
１７・・・各種警報機器
１８・・・災害警報手段
２２・・・臭い発生装置
２２Ａ・・・第１の容器
２２Ｂ・・・第２の容器
２２Ｃ・・・蓋体
２２Ｄ・・・隔壁
２２Ｅ・・・隔壁破断装置
Ｃ１・・・回路
Ｌ・・・石灰
Ｓ１〜Ｓ２０・・・災害発生に関する信号
ＷＳ・・・ワサビの水溶液
【図１】
2019061595.tif 000003
【図２】
2019061595.tif 000004
【図３】
2019061595.tif 000005
【図４】
2019061595.tif 000006
【図５】
2019061595.tif 000007